(57)【要約】      （修正有）【解決手段】スキルの共有方法及びスキルの共有装置を提供し、第１スキルの共有リンクに対する、ユーザーによる第１クリック操作を受信し、第１クリック操作に従ってスキル開発ページにジャンプし、当該スキル開発ページにリンクの入力ボックスと導入ボタンが含まれ、入力ボックスはスキルの共有リンクを入力することに用いられ、導入ボタンはスキルの導入命令を入力することに用いられ、ユーザー操作に従って第１スキルをスキル開発プラットフォームに導入する。【効果】スキルの共有リンクを生成することによって、スキルの共有リンクを既存の共有仕様を介して任意の場所に共有することができるため、その共有方式はより多様で柔軟であり、それによりユーザーは多種の仕様によってスキルを導入することができ、スキルの普及に役立ち、異なる開発者によって同じ開発が繰り返されることを回避できる。【選択図】図１
2020123315.tif 000002
【特許請求の範囲】
【請求項１】
第１スキルの共有リンクに対する、ユーザーによる第１クリック操作を受信することと、 
前記第１クリック操作に従って、スキルの共有リンクを入力することに用いられるリンクの入力ボックスと、スキルの導入命令を入力することに用いられる導入ボタンとが含まれるスキル開発ページにジャンプすることと、
ユーザー操作に従って前記第１スキルをスキル開発プラットフォームに導入することと、を含むことを特徴とするスキルの共有方法。
【請求項２】
ユーザー操作に従って前記第１スキルをスキル開発プラットフォームに導入することは、
前記第１スキルの共有リンクを前記入力ボックスに自動的に貼り付けること、
前記導入ボタンに対する、ユーザーによる第２クリック操作を受信すること、及び
前記第２クリック操作に従って前記第１スキルを前記スキル開発プラットフォームに導入することを含むことを特徴とする請求項１に記載のスキルの共有方法。
【請求項３】
ユーザー操作に従って前記第１スキルをスキル開発プラットフォームに導入することは、
ユーザーにより入力された貼り付け操作に従って、前記第１スキルの共有リンクを前記入力ボックスに貼り付けること、
或いは、ユーザーにより入力コンポーネントを介して入力された前記第１スキルの共有リンクを受信すること、
前記導入ボタンに対する、ユーザーによる第２クリック操作を受信すること、及び
前記第２クリック操作に従って前記第１スキルを前記スキル開発プラットフォームに導入することを含むことを特徴とする請求項１に記載のスキルの共有方法。
【請求項４】
前記第１スキルを前記スキル開発プラットフォームに導入した後に、
ユーザー操作に従ってリソース管理ページを開き、前記リソース管理ページに前記第１スキルの意図、辞書及びコードが含まれること、
前記第１スキルの意図、辞書及びコードの中の１つ或いは複数に対する、ユーザーによる編集操作を受信すること、及び
前記編集操作に従って前記第１スキルの更新バージョンを生成することを更に含むことを特徴とする請求項２または３に記載のスキルの共有方法。
【請求項５】
第１スキルの共有リンクに対する、ユーザーによる第１クリック操作を受信する前に、
その他のユーザーによりインスタントメッセージングソフトウェアを介して送信され前記第１スキルの共有リンクを受信することを更に含むことを特徴とする請求項１から３のいずれか１項に記載のスキルの共有方法。
【請求項６】
前記第１スキルの共有リンクはウェブページ、メールまたはファイルに共有されることを特徴とする請求項１から３のいずれか１項に記載のスキルの共有方法。
【請求項７】
前記スキル開発ページにおける作成された第２スキルの入り口に対する、ユーザーによる操作に従って、前記第２スキルの管理サブページを開き、前記管理サブページに前記第２スキルの識別子と共有ボタンが含まれることと、
前記共有ボタンに対する、ユーザーによる第３クリック操作を受信することと、
前記第３クリック操作に従って前記第２スキルの共有リンクを生成することと、
ユーザー操作に従って前記第２スキルの共有リンクをコピーすることと、を更に含むことを特徴とする請求項１から６のいずれか１項に記載のスキルの共有方法。
【請求項８】
前記第３クリック操作に従って前記第２スキルの共有リンクを生成することは、
前記第３クリック操作に従ってダイアログボックスを生成し、前記ダイアログボックスに前記第２スキルの共有リンクが含まれ、前記ダイアログボックスにコピーボタンが更に含まれることを含み、
ユーザー操作に従って前記第２スキルの共有リンクをコピーすることは、
前記コピーボタンに対する、ユーザーによる第４クリック操作を受信すること、及び
前記第４クリック操作に従って前記第２スキルの共有リンクをコピーすることを含むことを特徴とする請求項７に記載のスキルの共有方法。
【請求項９】
前記ダイアログボックスに第１プロンプトメッセージが更に含まれ、前記第１プロンプトメッセージは前記第２スキルがプリセット時間で共有されうる最大回数を表示することに用いられ、
前記第２スキルの管理サブページを開く前に、
前記第２スキルの共有回数は前記最大回数より大きいか否かを判断すること、
前記第２スキルの共有回数は前記最大回数より大きくないと、前記第２スキルの共有リンクを生成すること、及び
前記第２スキルの共有回数は前記最大回数より大きいと、前記共有ボタンを無効に設置し、且つ第２プロンプトメッセージを表示し、前記第２プロンプトメッセージは前記第２スキルの共有回数が前記最大回数に達したことを表示することに用いられることを更に含むことを特徴とする請求項８に記載のスキルの共有方法。
【請求項１０】
第１スキルの共有リンクに対する、ユーザーによる第１クリック操作を受信することに用いられる受信モジュール、
前記第１クリック操作に従って、スキルの共有リンクを入力することに用いられるリンクの入力ボックスと、スキルの導入命令を入力することに用いられる導入ボタンとが含まれるスキル開発ページにジャンプすることに用いられるジャンプモジュール、及び
ユーザー操作に従って前記第１スキルをスキル開発プラットフォームに導入することに用いられる導入モジュールを含むことを特徴とするスキルの共有装置。
【請求項１１】
前記導入モジュールは具体的に、
前記第１スキルの共有リンクを前記入力ボックスに自動的に貼り付けること、
前記導入ボタンに対する、ユーザーによる第２クリック操作を受信すること、及び
前記第２クリック操作に従って前記第１スキルを前記スキル開発プラットフォームに導入することに用いられることを特徴とする請求項１０に記載のスキルの共有装置。
【請求項１２】
前記導入モジュールは具体的に、
ユーザーにより入力された貼り付け操作に従って、前記第１スキルの共有リンクを前記入力ボックスに貼り付けること、
或いは、ユーザーにより入力コンポーネントを介して入力された前記第１スキルの共有リンクを受信すること、
前記導入ボタンに対する、ユーザーによる第２クリック操作を受信すること、及び
前記第２クリック操作に従って前記第１スキルを前記スキル開発プラットフォームに導入することに用いられることを特徴とする請求項１０に記載のスキルの共有装置。
【請求項１３】
前記装置は、ユーザー操作に従ってリソース管理ページを開き、前記リソース管理ページに前記第１スキルの意図、辞書及びコードが含まれることに用いられる第１開きモジュールを更に含み、
前記受信モジュールは、更に前記第１スキルの意図、辞書及びコードの中の１つ或いは複数に対する、ユーザーによる編集操作を受信することに用いられ、
前記装置は、前記編集操作に従って前記第１スキルの更新バージョンを生成することに用いられる更新モジュールを更に含むことを特徴とする請求項１１または１２に記載のスキルの共有装置。
【請求項１４】
前記受信モジュールは、更に、
その他のユーザーによりインスタントメッセージングソフトウェアを介して送信され前記第１スキルの共有リンクを受信することに用いられることを特徴とする請求項１０から１２のいずれか１項に記載のスキルの共有装置。
【請求項１５】
前記第１スキルの共有リンクはウェブページ、メールまたはファイルに共有されることを特徴とする請求項１０から１２のいずれか１項に記載のスキルの共有装置。
【請求項１６】
前記装置は、前記スキル開発ページにおける作成された第２スキルの入り口に対する、ユーザーによる操作に従って、前記第２スキルの管理サブページを開き、前記管理サブページに前記第２スキルの識別子と共有ボタンが含まれる第２開きモジュールを更に含み、
前記受信モジュールは、さらに前記共有ボタンに対する、ユーザーによる第３クリック操作を受信することに用いられ、
前記装置は、前記第３クリック操作に従って前記第２スキルの共有リンクを生成することに用いられる生成モジュール、及びユーザー操作に従って前記第２スキルの共有リンクをコピーすることに用いられるコピーモジュールを更に含むことを特徴とする請求項１０から１５のいずれか１項に記載のスキルの共有装置。
【請求項１７】
前記生成モジュールは具体的に、
前記第３クリック操作に従ってダイアログボックスを生成し、前記ダイアログボックスに前記第２スキルの共有リンクが含まれ、前記ダイアログボックスにコピーボタンが更に含まれることに用いられ、
前記コピーモジュールは具体的に、
前記コピーボタンに対する、ユーザーによる第４クリック操作を受信すること、及び
前記第４クリック操作に従って前記第２スキルの共有リンクをコピーすることに用いられることを特徴とする請求項１６に記載のスキルの共有装置。
【請求項１８】
前記ダイアログボックスに第１プロンプトメッセージが更に含まれ、前記第１プロンプトメッセージは前記第２スキルがプリセット時間で共有されうる最大回数を表示することに用いられ、
前記装置は、
前記第２スキルの共有回数は前記最大回数より大きいか否かを判断することに用いられる判断モジュールを更に含み、
前記生成モジュールは具体的に、前記第２スキルの共有回数は前記最大回数より大きくない際に、前記第２スキルの共有リンクを生成することに用いられ、
前記第２スキルの共有回数は前記最大回数より大きい際に、前記共有ボタンを無効に設置し、且つ第２プロンプトメッセージを表示することに用いられ、ただし、前記第２プロンプトメッセージは前記第２スキルの共有回数が前記最大回数に達したことを表示することに用いられることを特徴とする請求項１７に記載のスキルの共有装置。
【請求項１９】
プロセッサー、メモリ及びトランシーバーを含む端末機器であって、
前記メモリは命令を記憶することに用いられ、
前記トランシーバーはその他の機器と通信することに用いられ、
前記プロセッサーは前記メモリに記憶される命令を実行することに用いられ、
前記端末機器に請求項１から９のいずれか１項に記載の方法を実行させることを特徴とする端末機器。
【請求項２０】
命令が記憶されるコンピューター読み取り可能な記憶媒体であって、
前記命令が実行される場合に、コンピューターに請求項１から９のいずれか1項に記載の方法を実行させることを特徴とするコンピューター読み取り可能な記憶媒体。
【発明の詳細な説明】
【技術分野】
【０００１】
本発明はインテリジェント機器テクノロジー分野に関し、特にスキルの共有方法、スキルの共有装置、端末機器及びコンピューター読み取り可能な記憶媒体に関する。
【背景技術】
【０００２】
インテリジェント端末のネットワークテクノロジーの急速な発展に伴い、日常生活で音声対話型アプリケーション、例えば、スマートスピーカーにより、天気、交通、音楽、ニュース等のクエリを行うアプリケーションを使用する人が増えている。各種のアプリケーションは１つ又は複数のスキル（機能）を含む。
【０００３】
現在、ある会話型人工知能のオープンプラットフォーム、例えば、バイドゥのＤｕｅｒＯＳ、アマゾンのＡｌｅｘａ等によってスキルを開発することができる。オープンプラットフォームのオープン性により、誰でもオープンプラットフォームを使用してスキルを開発でき、開発したスキルを共通のプラットフォームで共有し、エンドユーザーまたは他の開発者は、共通のプラットフォームから必要なスキルを選択できる。
【０００４】
しかし、従来の方法において、スキルの共有方法は単一で、柔軟ではない。
【発明の概要】
【発明が解決しようとする課題】
【０００５】
本発明はスキルの共有方法及び装置を提供し、スキルの共有方法をより多様で、柔軟なものにすることを目的とする。
【課題を解決するための手段】
【０００６】
本発明の第１態様はスキルの共有方法を提供し、第１スキルの共有リンクに対する、ユーザーによる第１クリック操作を受信することと、前記第１クリック操作に従って、スキルの共有リンクを入力することに用いられるリンクの入力ボックスと、スキルの導入命令を入力することに用いられる導入ボタンとが含まれるスキル開発ページにジャンプすることと、ユーザー操作に従って前記第１スキルをスキル開発プラットフォームに導入することと、を含む。
【０００７】
選択可能な一態様として、ユーザー操作に従って前記第１スキルをスキル開発プラットフォームに導入するのは、前記第１スキルの共有リンクを前記入力ボックスに自動的に貼り付けること、前記導入ボタンに対する、ユーザーによる第２クリック操作を受信すること、及び前記第２クリック操作に従って前記第１スキルを前記スキル開発プラットフォームに導入することを含む。
【０００８】
選択可能な一態様として、ユーザー操作に従って前記第１スキルをスキル開発プラットフォームに導入するのは、ユーザーにより入力された貼り付け操作に従って、前記第１スキルの共有リンクを前記入力ボックスに貼り付けること、或いは、ユーザーにより入力コンポーネントを介して入力された前記第１スキルの共有リンクを受信すること、前記導入ボタンに対する、ユーザーによる第２クリック操作を受信すること、及び前記第２クリック操作に従って前記第１スキルを前記スキル開発プラットフォームに導入することを含む。
【０００９】
選択可能な一態様として、前記第１スキルを前記スキル開発プラットフォームに導入した後に、ユーザー操作に従ってリソース管理ページを開き、前記リソース管理ページに前記第１スキルの意図、辞書及びコードが含まれる。
【００１０】
選択可能な一態様として、前記第１スキルの意図、辞書及びコードの中の１つ或いは複数に対する、ユーザーによる編集操作を受信すること、及び前記編集操作に従って前記第１スキルの更新バージョンを生成することを更に含む。
【００１１】
選択可能な一態様として、前記第１スキルのバージョンは更新された後に、次回に共有する場合に前記第１スキルの更新バージョンの共有リンクを改めて生成する必要があり、前記第１スキルの異なるバージョンの共有リンクは異なる。
【００１２】
選択可能な一態様として、第１スキルの共有リンクに対する、ユーザーによる第１クリック操作を受信する前に、その他のユーザーによりインスタントメッセージングソフトウェアを介して送信され前記第１スキルの共有リンクを受信することを更に含む。
【００１３】
選択可能な一態様として、前記第１スキルの共有リンクはウェブページ、メールまたはファイルに共有される。
【００１４】
選択可能な一態様として、前記スキル開発ページにおける作成された第２スキルの入り口に対する、ユーザーによる操作に従って、前記第２スキルの管理サブページを開き、前記管理サブページに前記第２スキルの識別子と共有ボタンが含まれることと、前記共有ボタンに対する、ユーザーによる第３クリック操作を受信することと、前記第３クリック操作に従って前記第２スキルの共有リンクを生成することと、ユーザー操作に従って前記第２スキルの共有リンクをコピーすることと、を更に含む。
【００１５】
選択可能な一態様として、前記第３クリック操作に従って前記第２スキルの共有リンクを生成するのは、前記第３クリック操作に従ってダイアログボックスを生成し、前記ダイアログボックスに前記第２スキルの共有リンクが含まれ、前記ダイアログボックスにコピーボタンが更に含まれることを含み、ユーザー操作に従って前記第２スキルの共有リンクをコピーするのは、前記コピーボタンに対する、ユーザーによる第４クリック操作を受信すること、及び前記第４クリック操作に従って前記第２スキルの共有リンクをコピーすることを含む。
【００１６】
選択可能な一態様として、前記ダイアログボックスに第１プロンプトメッセージが更に含まれ、前記第１プロンプトメッセージは前記第２スキルがプリセット時間で共有されうる最大回数を表示することに用いられる。
【００１７】
選択可能な一態様として、前記第２スキルの管理サブページを開く前に、前記第２スキルの共有回数は前記最大回数より大きいか否かを判断すること、前記第２スキルの共有回数は前記最大回数より大きくないと、前記第２スキルの共有リンクを生成すること、及び前記第２スキルの共有回数は前記最大回数より大きいと、前記共有ボタンを無効に設置し、且つ第２プロンプトメッセージを表示し、前記第２プロンプトメッセージは前記第２スキルの共有回数が前記最大回数に達したことを表示することに用いられることを更に含む。
【００１８】
選択可能な一態様として、前記第２スキルのバージョンは更新された後に、次回に共有する場合に前記第２スキルの更新バージョンの共有リンクを改めて生成する必要があり、前記第２スキルの異なるバージョンの共有リンクは異なる。
【００１９】
本発明の第２態様はスキルの共有装置を提供し、第１スキルの共有リンクに対する、ユーザーによる第１クリック操作を受信することに用いられる受信モジュール、前記第１クリック操作に従って、スキルの共有リンクを入力することに用いられるリンクの入力ボックスと、スキルの導入命令を入力することに用いられる導入ボタンとが含まれるスキル開発ページにジャンプすることに用いられるジャンプモジュール、及びユーザー操作に従って前記第１スキルをスキル開発プラットフォームに導入することに用いられる導入モジュールを含む。
【００２０】
選択可能な一態様として、前記導入モジュールは具体的に、前記第１スキルの共有リンクを前記入力ボックスに自動的に貼り付けること、前記導入ボタンに対する、ユーザーによる第２クリック操作を受信すること、及び前記第２クリック操作に従って前記第１スキルを前記スキル開発プラットフォームに導入することに用いられる。
【００２１】
選択可能な一態様として、前記導入モジュールは具体的に、ユーザーにより入力された貼り付け操作に従って、前記第１スキルの共有リンクを前記入力ボックスに貼り付けること、或いは、ユーザーにより入力コンポーネントを介して入力された前記第１スキルの共有リンクを受信すること、前記導入ボタンに対する、ユーザーによる第２クリック操作を受信すること、及び前記第２クリック操作に従って前記第１スキルを前記スキル開発プラットフォームに導入することに用いられる。
【００２２】
選択可能な一態様として、ユーザー操作に従ってリソース管理ページを開き、前記リソース管理ページに前記第１スキルの意図、辞書及びコードが含まれることに用いられる第１開きモジュールを更に含む。
【００２３】
選択可能な一態様として、前記装置は、更新モジュールを更に含み、前記受信モジュールは、更に前記第１スキルの意図、辞書及びコードの中の１つ或いは複数に対する、ユーザーによる編集操作を受信することに用いられ、前記更新モジュールは、前記編集操作に従って前記第１スキルの更新バージョンを生成することに用いられる。
【００２４】
選択可能な一態様として、前記第１スキルのバージョンは更新された後に、次回に共有する場合に前記第１スキルの更新バージョンの共有リンクを改めて生成する必要があり、前記第１スキルの異なるバージョンの共有リンクは異なる。
【００２５】
選択可能な一態様として、前記受信モジュールは、その他のユーザーによりインスタントメッセージングソフトウェアを介して送信され前記第１スキルの共有リンクを受信することに用いられる。
【００２６】
選択可能な一態様として、前記第１スキルの共有リンクはウェブページ、メールまたはファイルに共有される。
【００２７】
選択可能な一態様として、前記装置は、前記スキル開発ページにおける作成された第２スキルの入り口に対する、ユーザーによる操作に従って、前記第２スキルの管理サブページを開き、前記管理サブページに前記第２スキルの識別子と共有ボタンが含まれる第２開きモジュールを更に含み、前記受信モジュールは、さらに前記共有ボタンに対する、ユーザーによる第３クリック操作を受信することに用いられ、前記装置は、前記第３クリック操作に従って前記第２スキルの共有リンクを生成することに用いられる生成モジュール、及びユーザー操作に従って前記第２スキルの共有リンクをコピーすることに用いられるコピーモジュールを更に含む。
【００２８】
選択可能な一態様として、前記生成モジュールは具体的に、前記第３クリック操作に従ってダイアログボックスを生成し、前記ダイアログボックスに前記第２スキルの共有リンクが含まれ、前記ダイアログボックスにコピーボタンが更に含まれることに用いられ、前記コピーモジュールは具体的に、前記コピーボタンに対する、ユーザーによる第４クリック操作を受信すること、及び前記第４クリック操作に従って前記第２スキルの共有リンクをコピーすることに用いられる。
【００２９】
選択可能な一態様として、前記ダイアログボックスに第１プロンプトメッセージが更に含まれ、前記第１プロンプトメッセージは前記第２スキルがプリセット時間で共有されうる最大回数を表示することに用いられる。
【００３０】
選択可能な一態様として、前記装置は、前記第２スキルの共有回数は前記最大回数より大きいか否かを判断することに用いられる判断モジュールを更に含み、前記生成モジュールは具体的に、前記第２スキルの共有回数は前記最大回数より大きくない際に、前記第２スキルの共有リンクを生成することに用いられ、前記第２スキルの共有回数は前記最大回数より大きい際に、前記共有ボタンを無効に設置し、且つ第２プロンプトメッセージを表示することに用いられ、ただし、前記第２プロンプトメッセージは前記第２スキルの共有回数が前記最大回数に達したことを表示することに用いられる。
【００３１】
選択可能な一態様として、前記第２スキルのバージョンは更新された後に、次回に共有する場合に前記第２スキルの更新バージョンの共有リンクを改めて生成する必要があり、前記第２スキルの異なるバージョンの共有リンクは異なる。
【００３２】
本発明の第３態様はプロセッサー、メモリ及びトランシーバーを含む端末機器を提供し、前記メモリは命令を記憶することに用いられ、前記トランシーバーはその他の機器と通信することに用いられ、前記プロセッサーは前記メモリに記憶される命令を実行することに用いられ、前記端末機器に本発明の第１態様及び各選択可能な形態に記載の方法を実行させる。
【００３３】
本発明の第４態様はコンピューター読み取り可能な記憶媒体を提供し、前記コンピューター読み取り可能な記憶媒体に命令が記憶され、前記命令が実行される場合に、コンピューターに本発明の第１態様及び各選択可能な形態に記載の方法を実行させる。
【００３４】
本発明によるスキルの共有方法、スキルの共有装置、端末機器及びコンピューター読み取り可能な記憶媒体では、第１スキルの共有リンクに対する、ユーザーによる第１クリック操作を受信し、第１クリック操作に従ってスキル開発ページにジャンプし、当該スキル開発ページにリンクの入力ボックスと導入ボタンが含まれ、入力ボックスはスキルの共有リンクを入力することに用いられ、導入ボタンはスキルの導入命令を入力することに用いられ、ユーザー操作に従って第１スキルをスキル開発プラットフォームに導入する。スキルの共有リンクを生成することによって、スキルの共有リンクを既存の共有仕様を介して任意の場所に共有することができるため、その共有方式はより多様で柔軟になり、それによりユーザーは多種の仕様によってスキルを導入することができ、スキルの普及に役立ち、異なる開発者によって開発が繰り返されることを回避できる。
【図面の簡単な説明】
【００３５】
【図１】本発明の実施例１によるスキルの共有方法のフローチャートである。
【図２】スキル開発ページの1種の模式図である。
【図３】本発明の実施例２によるスキルの共有方法のフローチャートである。
【図４】本発明の実施例３によるスキルの共有方法のフローチャートである。
【図５】スキルの管理サブページのある模式図である。
【図６】ダイアログボックスの模式図である。
【図７】本発明の実施例４によるスキルの共有装置の構造模式図である。
【図８】本発明の実施例５によるスキルの共有装置の構造模式図である。
【図９】本発明の実施例６による端末機器の構造模式図である。
【００３６】
これらの図面は明細書中に併せられ且つ本明細書の一部となり、本発明に合わせる実施例を示し、且つ明細書と共に本発明の原理を解釈することに用いられる。
【００３７】
上記の図面によって、本発明の明確な実施例が示されており、より詳細な説明は後述する。これらの図面とテキストの説明は任意の方式によって本発明の構想の範囲を制限するものではなく、特定の実施例を参照することによって当業者のために本発明の概念を説明するためのものである。
【発明を実施するための形態】
【００３８】
本発明の実施例の目的、技術的解決手段及び利点をより明らかにするために、以下、本発明の実施例における図面を組み合わせて、本発明の実施例における技術的解決手段を明確に説明する。もっとも、説明された実施例が実施例の全てではないことは明らかであり、本発明の実施例の一部に過ぎない。本発明における実施例に基づいて、当業者が創造的な作業なしに得られるすべてのその他の実施例は、本発明が保護する範囲に属する。
【００３９】
図１は本発明の実施例１によるスキルの共有方法のフローチャートであり、本実施例の方法は、スキル開発プラットフォームを実行できる端末機器に応用されうるものであり、当該端末機器はパソコン、タブレット、スマートフォン等であってよい。図１に示すように、本実施例による方法は、以下のステップを含み、ステップＳ１０１では、第１スキルの共有リンクに対する、ユーザーによる第１クリック操作を受信する。
【００４０】
第１スキルの共有リンクはサイト或いはユニフォームリソースロケーター（Ｕｎｉｆｏｒｍ  Ｒｅｓｏｕｒｃｅ  Ｌｏｃａｔｏｒ、ＵＲＬと略称）とも呼ばれ、第１スキルはその他の開発者により開発される。
【００４１】
１つの完全なスキルは３つの部分のリソース、即ち、意図、辞書及びコードからなり、スキルの意図、辞書及びコードはスキル開発プラットフォームに完全にコピーされればこそ、スキルが使用されうるものである。
【００４２】
スキルの意図はスキルの目的を説明することに用いられ、スキルの意図は意図情報、一般的な表現式、及びスロットリスト等を含む。意図情報は意図の中国語の名と意図識別子名を含んでよい。例えばスキルの目的はクエリであると、意図の中国語の名は「査詢」であり、意図識別子名は「ｉｎｑｕｉｒｙ」である。意図の一般的な表現式は意図を説明するいくつかの一般的なステートメントを定義する。
【００４３】
辞書とは、ユーザーは一般的な表現を構成する際に、対応したスロットが属する範囲であり、当該範囲はある分野或いはあるタイプの語彙集を示す。
【００４４】
本実施例において、第１スキルの共有リンクは第１スキルのリソースのアドレスを示し、第１スキルのリソースは第１スキルの意図、辞書及びコードを含み、第１スキルの共有リンクによってデータベースから第１スキルのリソースをクエリすることができる。
【００４５】
第１スキルの共有リンクはその他のユーザーがインスタントメッセージングソフトウェアによって送信されたものであってよく、例えば、ユーザーＡは第１スキルを開発した後に、第１スキルの共有リンクを生成し、且つ第１スキルの共有リンクをインスタントメッセージングソフトウェアによってユーザーＢに送信し、ユーザーＢが第１スキルをスキル開発プラットフォームに導入することができるようにする。
【００４６】
第１スキルの共有リンクはウェブページ、メールまたはファイルに共有されてもよい。ユーザーは第１スキルを開発した後に、第１スキルの共有リンクを生成し、第１スキルの共有リンクをウェブページ、メールまたはファイル等のその他の場所にコピーする。
【００４７】
例えば、ユーザーＡは第１スキルの共有リンクをネットワーク質問と回答のコミュニティに共有し、コミュニティのその他のユーザーは第１スキルを了解しまたは第１スキルを導入することができるようにする。第１スキルの共有リンクをメールに貼り付けてメール受信者に送信する。
【００４８】
ステップＳ１０２では、第１クリック操作に従って、スキル開発ページにジャンプし、スキル開発ページにリンクの入力ボックスと導入ボタンが含まれる。
【００４９】
ユーザーは第１スキルの共有リンクをクリックした後にスキル開発ページにジャンプし、スキル開発ページにリンクの入力ボックスと導入ボタンが含まれ、当該入力ボックスはスキルの共有リンクを入力することに用いられ、当該導入ボタンはスキルの導入命令を入力することに用いられる。
【００５０】
図２はスキル開発ページの1種の模式図であり、図２に示すように、当該スキル開発ページにスキルの共有リンクを導入するオプションが含まれ、当該オプションに入力ボックスと導入ボタンが含まれる。選択可能な一態様として、当該入力ボックスにプロンプトメッセージ「スキル共有リンクを入力」が表示される。選択可能な一態様として、入力ボックスの外部に説明情報「自分のスキルをすばやくコピーする、または他の人が共有しているスキルを引用する」が更に表示され、スキルの共有リンクを導入するオプションを説明するためのものである。理解できるのは、これらのプロンプトメッセージは変化でき、ユーザーのために上記の機能を説明或いは表示すればよい。
【００５１】
選択可能な一態様として、スキルの共有リンクを当該入力ボックスに入力した後に、ユーザーが導入ボタンをクリックするのを誘いまたは表示するために、導入ボタンは点滅し始め、それにより、スキルの導入を完成する。
【００５２】
図２に示すように、当該スキル開発ページに、小さなスキルオプション、スキル作成オプション及び私の全部のスキルオプションが更に含まれる。小さなスキルオプションは小さなスキルを作成することに用いられ、スキル作成オプションは１つの新しいスキルを作成することに用いられ、私の全部のスキルオプションにユーザーが作成及び導入した全てのスキルが含まれる。
【００５３】
図２は一例にすぎず、当該スキル開発ページにその他のオプションが含まれてもよく、本実施例はこれを制限しない。
【００５４】
ステップＳ１０３では、ユーザー操作に従って第１スキルをスキル開発プラットフォームに導入する。
【００５５】
以下のような３種の方式によって第１スキルをスキル開発プラットフォームに導入することができる。
方式１：第１スキルの共有リンクを入力ボックスに自動的に貼り付け、ユーザーによる導入ボタンの第２クリック操作を受信し、第２クリック操作に従って第１スキルをスキル開発プラットフォームに導入する。
【００５６】
当該方式において、スキル開発ページにジャンプした後に、第１スキルの共有リンクを入力ボックスに自動的に貼り付け、ユーザーは第１スキルの共有リンクをクリックすれば、ページのジャンプと自動貼り付けの２つの操作を完成することができる。
【００５７】
方式２：ユーザーにより入力された貼り付け操作に従って、第１スキルの共有リンクを入力ボックスに貼り付け、ユーザーによる導入ボタンへの第２クリック操作を受信し、第２クリック操作に従って、第１スキルをスキル開発プラットフォームに導入する。
【００５８】
ユーザーは第１スキルの共有リンクを手動でコピーして、更に第１スキルの共有リンクを入力ボックスに貼り付ける。
【００５９】
方式３：ユーザーにより入力コンポーネントを介して入力された第１スキルの共有リンクを受信し、ユーザーによる導入ボタンの第２クリック操作を受信し、第２クリック操作に従って第１スキルをスキル開発プラットフォームに導入する。
【００６０】
当該方式において、ユーザーは物理キーボード或いは仮想キーボードによって入力ボックスに第１スキルの共有リンクを入力する。
【００６１】
ユーザーは導入ボタンをクリックした後に、スキル開発プラットフォームは第１スキルの共有リンクに従ってデータベースから第１スキルのリソースのアドレスをクエリし、第１スキルの意図情報、辞書情報及びコードをスキル開発プラットフォームにコピーし、それにより第１スキルの導入を完成する。
【００６２】
選択可能な一態様として、第１スキルをスキル開発プラットフォームに導入した後、前記第２クリック操作によりリソース管理ページにジャンプし、前記リソース管理ページに前記第１スキルの意図情報、辞書情報及びコードが含まれる。
【００６３】
本実施例において、第１スキルの共有リンクに対する、ユーザーによる第１クリック操作を受信し、第１クリック操作に従ってスキル開発ページにジャンプし、当該スキル開発ページにリンクの入力ボックスと導入ボタンが含まれる。入力ボックスはスキルの共有リンクを入力することに用いられ、導入ボタンはスキルの導入命令を入力することに用いられ、ユーザー操作に従って第１スキルをスキル開発プラットフォームに導入する。第１スキルの共有リンクを生成することによって、第１スキルの共有リンクを既存の共有仕様によって任意の場所に共有することができ、その共有方式は、より多様で、柔軟であり、それによりユーザーが多種の方法によって第１スキルを導入することができ、第１スキルの普及に役立ち、異なる開発者の繰り返しの開発を回避することもできる。
【００６４】
図３は本発明の実施例２によるスキルの共有方法のフローチャートであり、図３に示すように、本実施例による方法は、以下のステップを含む。ステップＳ２０１では、第１スキルの共有リンクに対する、ユーザーによる第１クリック操作を受信する。
【００６５】
ステップＳ２０２では、第１クリック操作に従ってスキル開発ページにジャンプし、スキル開発ページにリンクの入力ボックスと導入ボタンが含まれる。
【００６６】
ステップＳ２０３では、ユーザー操作に従って前記第１スキルをスキル開発プラットフォームに導入する。
【００６７】
ステップＳ２０１−Ｓ２０３の具体的な実現方式は実施例１の関連説明を参照することができ、ここで繰り返して説明はしない。
【００６８】
ステップＳ２０４では、ユーザー操作に従ってリソース管理ページを開き、当該リソース管理ページに第１スキルの意図、辞書及びコードが含まれる。
【００６９】
本実施例において、第１スキルをスキル開発プラットフォームに導入した後に、ユーザーが学習または他の操作を行うように、ユーザーはリソース管理ページを開き、第１スキルの意図、辞書及びコードを見ることができる。
【００７０】
ステップＳ２０５では、第１スキルの意図、辞書及びコードの中の１つ或いは複数に対する、ユーザーによる編集操作を受信する。
【００７１】
ユーザーは意図の中の一般的な表現式を増加または削除し、或いは、意図のスロットを修正してもよいし、さらに、ユーザーは辞書の値、或いは、コードを修正してもよい。
【００７２】
ステップＳ２０６では、当該編集操作に従って第１スキルの更新バージョンを生成する。
【００７３】
ユーザーは編集を完成した後に、提出ボタンをクリックし、第１スキルの更新バージョンを生成する。
【００７４】
第１スキルのバージョンは更新された後に、次回に共有する場合に第１スキルの更新バージョンの共有リンクを改めて生成する必要があり、第１スキルの異なるバージョンの共有リンクは異なる。例えば、１つのスキルはＡ状態で共有をクリックした後に、共有リンクはＡ状態のみを呼び出し、当該スキルが後にＢ状態に更新されると共有を更にクリックする必要があり、新しいリンクのみでＢ状態を呼び出すことができ、即ち、その前の共有リンクはスキルの更新に伴って内容が更新されない。
【００７５】
本実施例において、第１スキルをスキル開発プラットフォームに導入した後に、ユーザー操作に従ってリソース管理ページを開き、当該リソース管理ページに第１スキルの意図、辞書及びコードが含まれ、第１スキルの意図、辞書及びコードの中の１つ或いは複数対する、ユーザーによる編集操作を受信し、編集操作に従って第１スキルの更新バージョンを生成する。当該方法は第１スキルを導入した後に、第１スキルの意図、辞書及びコードを見ることができ、且つ第１スキルの意図、辞書及びコードを編集し、第１スキルを更新する。それにより、開発者はその他の開発者が開発したスキルの意図、辞書及びコードを再利用することができ、スキル開発のコストと時間を節約し、スキル開発の効率を向上させる。
【００７６】
図４は本発明の実施例３によるスキルの共有方法のフローチャートであり、本実施例の方法は独立して実行されてもよいし、実施例１または実施例２に基づいて実行されてもよい。実施例１の方法は外部のスキルをスキル開発プラットフォームに導入するものであり、本実施例はスキル開発プラットフォームが開発したスキルをエクスポートする。図４に示すように、本実施例による方法は以下のステップを含み、ステップＳ３０１では、スキル開発ページで作成された第２スキルの入り口に対する、ユーザーによる操作に従って、第２スキルの管理サブページを開き、管理サブページに第２スキルの識別子と共有ボタンが含まれる。
【００７７】
第２スキルは特にあるスキルを指すものではなく、ただ第１スキルと区別するためのものである。
【００７８】
本実施例において、スキル開発ページに完成された第２スキルの入り口が含まれ、ユーザーは第２スキルの入り口をクリックすることによって第２スキルの管理サブページを開くことができ、当該管理サブページに第２スキルの識別子（Ｉｄｅｎｔｉｔｙ、ＩＤと略称）と共有ボタンが含まれる。選択可能な一態様として、当該管理サブページに削除ボタンと編集ボタンが更に含まれる。
【００７９】
スキルの入り口は図２における各スキルの名称或いはスキル名称の上方にあるアイコンであってよく、ユーザーはスキル名称或いはアイコンをクリックすることによってスキルの管理サブページを開く。
【００８０】
図５はスキルの管理サブページの1種の模式図であり、図５に示すように、当該管理サブページに編集ボタン、スキルＩＤ、削除ボタン及び共有ボタンが含まれる。ユーザーは編集ボタンをクリックした後に編集ページに入ってスキルを編集し、ユーザーは共有ボタンをクリックしてスキルを共有し、ユーザーは削除ボタンをクリックしてスキルを削除する。
【００８１】
ステップＳ３０２では、共有ボタンに対する、ユーザーによる第３クリック操作を受信する。
【００８２】
ステップＳ３０３では、第３クリック操作に従って第２スキルの共有リンクを生成する。
【００８３】
一例示的な方法において、第３クリック操作に従ってダイアログボックスを生成し、当該ダイアログボックスに第２スキルの共有リンクが含まれる。
【００８４】
ステップＳ３０４では、ユーザー操作に従って第２スキルの共有リンクをコピーする。
【００８５】
選択可能な一態様として、当該ダイアログボックスにコピーボタンが更に含まれ、コピーボタンに対する、ユーザーによる第４クリック操作を受信し、第４クリック操作に従って第２スキルの共有リンクをコピーする。
【００８６】
ダイアログボックスにコピーボタンが含まれない場合に、ユーザーは手動で第２スキルの共有リンクを選択することができ、次に第２スキルの共有リンクをコピーする。
【００８７】
選択可能な一態様として、当該ダイアログボックスに第１プロンプトメッセージが更に含まれ、第１プロンプトメッセージは、第２スキルがプリセット時間で共有されうる最大回数を、表示することに用いられる。当該プリセット時間は例えば１日、１時間或いはある時間帯である。
【００８８】
図６はダイアログボックスの模式図であり、図６に示すように、当該ダイアログボックスにスキルの共有リンクとコピーボタンが含まれ、当該ダイアログボックスの一番下のテキストは第１プロンプトメッセージである。
【００８９】
当該最大回数を設置する目的は、不正なユーザーが悪意を持ってインターフェイスを呼び出してサーバーメモリを占有するのを防ぐことであり、共有するたびにサーバー側で１回カウントし、当該サーバーは、それにおいてスキル開発プラットフォームが展開されるサーバーである。
【００９０】
対応的に、第２スキルの管理サブページを開く前に、第２スキルの共有回数は当該最大回数より大きいか否かを判断し、第２スキルの共有回数は最大回数より大きくないと、第２スキルの共有リンクを生成し、第２スキルの共有回数は最大回数より大きいと、共有ボタンを無効に設定し、且つ第２プロンプトメッセージを表示し、第２プロンプトメッセージは第２スキルの共有回数が最大回数に達したのを表示することに用いられる。
【００９１】
選択可能な一態様として、第２スキルのバージョンは更新された後に、次回に共有する場合に第２スキルの更新バージョンの共有リンクを改めて生成する必要があり、第２スキルの異なるバージョンの共有リンクは異なる。
【００９２】
本実施例において、ユーザーによる第２スキルの入り口に対しての操作に従って、第２スキルの管理サブページを開き、管理サブページに第２スキルの識別子と共有ボタンが含まれ、共有ボタンに対する、ユーザーによる第３クリック操作を受信し、第３クリック操作に従って第２スキルの共有リンクを生成し、ユーザー操作に従って第２スキルの共有リンクをコピーする。コピーした第２スキルの共有リンクをインスタントメッセージングソフトウェア、ウェブページ、メール或いはファイル等の場所に貼り付けることができ、それにより、第２スキルをその他の開発者に共有でき、共有方法はより多様で柔軟である。
【００９３】
図７は本発明の実施例４によるスキルの共有装置の構造模式図であり、図７に示すように、本実施例の装置は、第１スキルの共有リンクに対する、ユーザーによる第１クリック操作を受信することに用いられる受信モジュール１１、第１クリック操作に従って、スキルの共有リンクを入力することに用いられるリンクの入力ボックスと、スキルの導入命令を入力することに用いられる導入ボタンとが含まれるスキル開発ページにジャンプするために用いられるジャンプモジュール１２、及びユーザー操作に従って第１スキルをスキル開発プラットフォームに導入するための導入モジュール１３を含む。
【００９４】
選択可能な一態様として、導入モジュール１３は具体的に、第１スキルの共有リンクを入力ボックスに自動的に貼り付けること、導入ボタンに対する、ユーザーによる第２クリック操作を受信すること、及び第２クリック操作に従って第１スキルをスキル開発プラットフォームに導入することに用いられる。
【００９５】
選択可能な一態様として、導入モジュール１３は具体的に、ユーザーにより入力された貼り付け操作に従って、第１スキルの共有リンクを入力ボックスに貼り付けること、或いは、ユーザーにより入力コンポーネントを介して入力された第１スキルの共有リンクを受信すること、導入ボタンに対する、ユーザーによる第２クリック操作を受信すること、及び第２クリック操作に従って第１スキルをスキル開発プラットフォームに導入することに用いられる。
【００９６】
選択可能な一態様として、ユーザー操作に従って、リソース管理ページを開き、リソース管理ページに第１スキルの意図、辞書及びコードが含まれることに用いられる開きモジュールを更に含む。
【００９７】
選択可能な一態様として、更新モジュールを更に含み、受信モジュールは、第１スキルの意図、辞書及びコードの中の１つ或いは複数に対する、ユーザーによる編集操作を受信することに用いられ、更新モジュールは、編集操作に従って第１スキルの更新バージョンを生成することに用いられる。
【００９８】
選択可能な一態様として、第１スキルのバージョンは更新された後に、次回に共有する場合に第１スキルの更新バージョンの共有リンクを改めて生成する必要があり、第１スキルの異なるバージョンの共有リンクは異なる。
【００９９】
選択可能な一態様として、受信モジュールは更に、その他のユーザーによりインスタントメッセージングソフトウェアを介して送信された第１スキルの共有リンクを受信することに用いられる。
【０１００】
選択可能な一態様として、第１スキルの共有リンクはウェブページ、メールまたはファイルに共有される。
【０１０１】
本実施例の装置は、実施例１または実施例２に記載の方法を実行することに用いられ、具体的な実現方法と技術的効果は同様であるため、ここで繰り返して説明をしない。
【０１０２】
図８は本発明の実施例５によるスキルの共有装置の構造模式図であり、図８に示すように、本実施例の装置は、スキル開発ページにおける作成された第２スキルの入り口に対する、ユーザーによる操作に従って、第２スキルの管理サブページを開き、管理サブページに第２スキルの識別子と共有ボタンが含まれることに用いられる開きモジュール２１、共有ボタンに対する、ユーザーによる第３クリック操作を受信することに用いられる受信モジュール２２、第３クリック操作に従って第２スキルの共有リンクを生成することに用いられる生成モジュール２３、及びユーザー操作に従って第２スキルの共有リンクをコピーすることに用いられるコピーモジュール２４、を含む。
【０１０３】
選択可能な一態様として、生成モジュール２３は具体的に、第３クリック操作に従ってダイアログボックスを生成し、ダイアログボックスに第２スキルの共有リンクが含まれ、ダイアログボックスにコピーボタンが更に含まれることに用いられる。コピーモジュール２４は具体的に、コピーボタンに対する、ユーザーによる第４クリック操作を受信すること、及び第４クリック操作に従って第２スキルの共有リンクをコピーすることに用いられる。
【０１０４】
選択可能な一態様として、ダイアログボックスに第１プロンプトメッセージが更に含まれ、第１プロンプトメッセージは、第２スキルがプリセット時間で共有されうる最大回数を、表示することに用いられる。
【０１０５】
選択可能な一態様として、第２スキルの共有回数は最大回数より大きいか否かを判断することに用いられる判断モジュールを更に含み、生成モジュール２３は具体的に、第２スキルの共有回数が最大回数より大きくない際に、第２スキルの共有リンクを生成すること、及び第２スキルの共有回数が最大回数より大きい際に、共有ボタンを無効に設置し、且つ第２プロンプトメッセージを表示することに用いられ、ただし、第２プロンプトメッセージは第２スキルの共有回数が最大回数に達したことを表示することに用いられる。
【０１０６】
選択可能な一態様として、第２スキルのバージョンは更新された後に、次回に共有する場合に第２スキルの更新バージョンの共有リンクを改めて生成する必要があり、第２スキルの異なるバージョンの共有リンクは異なる。
【０１０７】
本実施例の装置は、実施例３の方法を実行することに用いられ、具体的な実現方法と技術的効果は同様であるため、ここで繰り返して説明をしない。
【０１０８】
図９は本発明の実施例６による端末機器の構造模式図であり、図９に示すように、本実施例による端末機器３００はプロセッサー３１、メモリ３２及びトランシーバー３３を含み、メモリ３２とトランシーバー３３とはバスによってプロセッサー３１に接続して通信され、メモリ３２は命令を記憶することに用いられ、トランシーバー３３はその他の機器と通信することに用いられ、プロセッサー３１はメモリ３２に記憶される命令を実行することに用いられる。端末機器３００には実施例１〜実施例３のいずれかに記載の方法を実行させるが、ここで繰り返して説明をしない。
【０１０９】
当該プロセッサー３１はマイクロコントローラーユニット（Ｍｉｃｒｏｃｏｎｔｒｏｌｌｅｒ  Ｕｎｉｔ、ＭＣＵと略称）であってよく、ＭＣＵはシングルチップマイクロコンピューター（Ｓｉｎｇｌｅ  Ｃｈｉｐ  Ｍｉｃｒｏｃｏｍｐｕｔｅｒ）或いはシングルチップマイコンとも呼ばれ、当該プロセッサー３１は中央プロセッサー（Ｃｅｎｔｒａｌ  Ｐｒｏｃｅｓｓ  Ｕｎｉｔ、ＣＰＵと略称）、デジタル信号プロセッサー（ｄｉｇｉｔａｌ  ｓｉｇｎａｌ  ｐｒｏｃｅｓｓｏｒ、ＤＳＰと略称）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣと略称）、フィールドプログラマブルゲートアレイ（ｆｉｅｌｄ  ｐｒｏｇｒａｍｍａｂｌｅ  ｇａｔｅ  ａｒｒａｙ、ＦＰＧＡと略称）或いはその他のプログラマブルロジックデバイス、離散ゲート或いはトランジスタ論理デバイスであってもよい。
【０１１０】
メモリ３２は任意のタイプの揮発性または不揮発性のストレージ機器或いはそれらの組み合わせにより実現することができ、例えば静的ランダムアクセスメモリ（Ｓｔａｔｉｃ  Ｒａｎｄｏｍ−Ａｃｃｅｓｓ  Ｍｅｍｏｒｙ、ＳＲＡＭと略称）、電気的に消去可能なプログラム可能な読み取り専用メモリ（Ｅｌｅｃｔｒｉｃａｌｌｙ  Ｅｒａｓａｂｌｅ  Ｐｒｏｇｒａｍｍａｂｌｅ  ｒｅａｄ  ｏｎｌｙ  ｍｅｍｏｒｙ、ＥＥＰＲＯＭと略称）、消去可能なプログラム可能な読み取り専用メモリ（Ｅｒａｓａｂｌｅ  Ｐｒｏｇｒａｍｍａｂｌｅ  Ｒｅａｄ  Ｏｎｌｙ  Ｍｅｍｏｒｙ、ＥＰＲＯＭと略称）、プログラム可能な読み取り専用メモリ（Ｐｒｏｇｒａｍｍａｂｌｅ  Ｒｅａｄ−Ｏｎｌｙ  Ｍｅｍｏｒｙ、ＰＲＯＭと略称）、読み取り専用メモリ（Ｒｅａｄ−Ｏｎｌｙ  Ｍｅｍｏｒｙ、ＲＯＭと略称）、磁気メモリ、フラッシュメモリ、ディスクまたは光ディスクである。
【０１１１】
トランシーバー３３は、その他の機器との間に有線または無線の通信リンクを確立することができ、それにより、スマートデバイスが、通信規格に従った無線ネットワーク、例えばＷｉＦｉ、２Ｇ又は３Ｇ、或いはそれらの組み合わせにアクセスことができる。１つの例示的な実施例において、トランシーバー３３には、近距離通信を容易にする近距離無線通信（ＮＦＣ）モジュールも更に含まれる。例えば、ＮＦＣモジュールは無線周波数識別（ＲＦＩＤ）技術、無線周波数識別（ＩｒＤＡ）技術、ウルトラワイドバンド（ＵＷＢ）技術、ブルートゥース（登録商標）（ＢＴ）技術及びその他の技術に基づいて実現することができる。
【０１１２】
バスは業界標準のアーキテクチャ（Ｉｎｄｕｓｔｒｙ  Ｓｔａｎｄａｒｄ  Ａｒｃｈｉｔｅｃｔｕｒｅ、ＩＳＡ）バス、外部デバイスの相互接続（Ｐｅｒｉｐｈｅｒａｌ  Ｃｏｍｐｏｎｅｎｔ、ＰＣＩ）バス又は拡張業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、ＥＩＳＡ）バス等であってよい。バスはアドレスバス、データバス、制御バス等に分けられてよい。表示の便利のため、本願の図面におけるバスは１本又は１つのタイプに限定されない。
【０１１３】
本発明の実施例７はコンピューター読み取り可能な記憶媒体を提供し、コンピューター読み取り可能な記憶媒体に命令が記憶され、命令が実行される場合に、コンピューターに実施例１〜実施例３のいずれかに記載の方法を実行させる。
【０１１４】
最後に説明すべきことは、以上の各実施例は本願の技術的解決手段を説明するものにすぎず、それを限定するものではなく、前述した各実施例を参照しながら本願について詳細に説明したが、当業者であれば、依然として前述した各実施例に記載される技術的解決手段を修正することができ、又はそのうちの一部もしくはすべての技術的特徴について均等置換を行うことができ、これらの修正又は置換は、対応する技術的解決手段の本質が本願の各実施例の技術的解決手段の範囲から逸脱するようにするものではないと理解すべきである。
【図１】
2020123315.tif 000003
【図２】
2020123315.tif 000004
【図３】
2020123315.tif 000005
【図４】
2020123315.tif 000006
【図５】
2020123315.tif 000007
【図６】
2020123315.tif 000008
【図７】
2020123315.tif 000009
【図８】
2020123315.tif 000010
【図９】
2020123315.tif 000011